(57)【要約】フィルタエレメント（１６）は、管状エレメント（２６）と、それぞれが該管状エレメント（２６）の反対側の端部と関連付けられた、第１および第２のエンドキャップ（４２、４６）と、管状エレメント（２６）の周囲でかつ該第１および第２のエンドキャップ（４２、４６）間に位置決めされたフィルタ媒体（５０）と、管状エレメント（２６）と関連付けられたする付勢エレメント（１１２）と、管状エレメント（２６）の第１の端部（２８）に位置決めされたリテーナエレメント（３４）とを含むことができる。該リテーナエレメント（２６）は、中央円形部分（９８）および該中央円形部分（９８）の対向辺から延びる２つの対向する横方向スロット（１００）を含むテーナ開口部（９６）と、該２つの対向する横方向スロット（１００）の対向辺間に延びる２つの円弧状ショルダ区分（１１０）と、を含むことができる。全タブ（２２０）は、２つの対向する横方向スロット（１００）を挟んである周方向位置において２つの円弧状ショルダ区分（１１０）のうちの片方の底面（１０５）から第１の軸線方向距離延びてよい、そして部分タブ（２２２）は、全タブ（２２０）から横方向スロット（１００）の反対側のある周方向位置における２つの円弧状ショルダ区分（１１０）のうちの他方の底面（１０５）から第１の軸線方向距離未満の第２の軸線方向距離延びてもよい。【選択図】図３
2019529080.tif 000002
【特許請求の範囲】
【請求項１】
フィルタエレメント（１６）であって、
管状エレメント（２６）と、
それぞれ前記管状エレメント（２６）の反対側の端部と関連付けられた、第１および第２のエンドキャップ（４２、４６）と、
前記管状エレメント（２６）の周囲にかつ前記第１のエンドキャップと第２のエンドキャップの間に位置決めされたフィルタ媒体（５０）と、
前記管状エレメント（２６）と関連付けられた付勢エレメント（１１２）と、
前記管状エレメント（２６）の第１の端部（２８）に位置決めされたリテーナエレメント（３４）と、を備え、該リテーナエレメント（３４）が、
中央円形部分（９８）と、該中央円形部分（９８）の対応辺から延びる２つの対向する横方向スロット（１００）とを含むリテーナ開口部（９６）と、
前記２つの対向する横方向スロット（１００）の対応辺間に延びる２つの円弧状ショルダ区分（１１０）と、
前記２つの対向する横方向スロット（１００）を挟んである周方向位置で前記２つの円弧状ショルダ区分（１１０）のうちの片方の底面（１０５）から第１の軸線方向距離延びる全タブ（２２０）と、
前記全タブ（２２０）から前記横方向スロット（１００）の反対側のある周方向位置における前記２つの円弧状ショルダ区分（１１０）のうちの他方の底面（１０５）から前記第１の軸線方向距離未満の第２の軸線方向距離延びる部分タブ（２２２）と、を含む、フィルタエレメント（１６）。
【請求項２】
前記全タブ（２２０）が三角形状の軸線方向断面を含む、請求項１記載のフィルタエレメント（１６）。
【請求項３】
前記部分タブ（２２２）が三角形状の軸線方向断面を含む、請求項２に記載のフィルタエレメント（１６）。
【請求項４】
前記リテーナエレメント（３４）が、前記管状エレメント（２６）の前記第１の端部（２８）と圧入されるかまたは一体形成されるかの一方である、請求項１に記載のフィルタエレメント（１６）。
【請求項５】
前記円弧状ショルダ区分（１１０）の各々が、前記リテーナエレメント（３４）の外周壁（１０３）から半径方向内向きに延びる、請求項４に記載のフィルタエレメント（１６）。
【請求項６】
前記全タブ（２２０）が、前記リテーナエレメント（３４）の前記外周壁（１０３）から半径方向内向きに、かつ前記２つの円弧状ショルダ区分（１１０）のうちの片方の前記底面（１０５）からある第１の軸線方向距離にわたって前記外周壁（１０３）の半径方向内側周面に沿って軸線方向に突出する、請求項５に記載のフィルタエレメント（１６）。
【請求項７】
前記部分タブ（２２２）が、前記リテーナエレメント（３４）の前記外周壁（１０３）から半径方向内向きに、かつ前記２つの円弧状ショルダ区分（１１０）のうちの他方の前記底面（１０５）から前記外周壁（１０３）の半径方向内側周面に沿って前記第１の軸線方向距離未満の第２の軸線方向距離軸線方向に突出する、請求項６に記載のフィルタエレメント（１６）。
【請求項８】
前記付勢エレメント（１１２）が、前記管状エレメント（２６）と一体的に形成され、前記管状エレメント（２６）の外周壁（１０３）から半径方向内向きに延び、かつ前記管状エレメント（２６）の前記第１の端部（２８）に位置決めされた前記リテーナエレメント（３４）から前記管状エレメント（２６）の前記第２の端部（３０）に向かって位置決めされている、請求項１に記載のフィルタエレメント（１６）。
【請求項９】
前記付勢エレメント（１１２）が、円錐台形状に配置されかつ前記リテーナエレメント（３４）に向かって延びる複数の可撓性フィンガ（１１６）を含む、請求項８に記載のフィルタエレメント（１６）。
【請求項１０】
フィルタハウジング組立体であって、
フィルタエレメント（１６）と、
前記フィルタエレメント（１６）に選択的に結合され、かつそれから結合解除されるように構成されている、ハウジング（１４）と、
前記ハウジング（１４）に接合され、かつ前記ハウジング（１４）と前記フィルタエレメント（１６）との間の相対移動によって前記フィルタエレメント（１６）を前記ハウジング（１４）に交互に結合および結合解除するように構成されている、カプラ（８６）と、を備え、
前記フィルターエレメント（１６）が、
管状エレメント（２６）と、
第１および第２エンドキャップ（４２、４６）と、
前記管状エレメント（２６）の周囲でかつ前記第１および第２のエンドキャップ（４２、４６）同士間に配置されているフィルタ媒体（５０）と、
付勢エレメント（１１２）と、
前記管状エレメント（２６）の前記第１の端部（２８）に位置決めされたリテーナエレメント（３４）と、を備え、該リテーナエレメント（３４）が、
前記カプラ（８６）の一部を受容するように構成されているリテーナ開口部（９６）であって、中央円形部（９８）と、該中央円形部（９８）の対応辺から延びる２つの対向する横方向スロット（１００）と、を含むリテーナ開口部（９６）と、
前記２つの対向する横方向スロット（１００）の対応辺間に延びる２つの円弧状ショルダ区分（１１０）と、
前記２つの対向する横方向スロット（１００）を挟んである周方向位置において、前記２つの円弧状ショルダ区分（１１０）のうちの片方の底面（１０５）から第１の軸線方向距離延びている全タブ（２２０）と、
前記全タブ（２２０）から前記横方向スロット（１００）の反対側のある周方向位置にある前記２つの円弧状ショルダ区分（１１０）のうちの他方の底面（１０５）から前記第１の軸線方向距離未満の第２の軸線方向距離延びる部分タブ（２２２）と、を含む、フィルタハウジング組立体。
【発明の詳細な説明】
【技術分野】
【０００１】
本開示は、フィルタエレメント係止機構（ロッキングメカニズム）に関し、より詳細には、クリーンサービスのためのフィルタエレメント係止機構に関する。
【背景技術】
【０００２】
圧縮点火エンジン、火花点火エンジン、ガソリンエンジン、気体燃料エンジン、および他の内燃機関を含むエンジンは、汚染物質が除去されたオイルを用いてより効果的にそしてより長い稼働寿命で動作することができる。さらに、エンジンは、燃料がエンジンの燃料噴射システムまたは燃焼室に到達する前に汚染物質が除去された燃料を用いてより効果的に動作することができる。結果として、エンジンは、油および／または燃料から汚染物質を除去するために１つまたはそれ以上の流体濾過システムを備えることができる。
【０００３】
フィルタシステムは、流体から汚染物質を除去するためのフィルタ媒体を有するフィルタエレメントを含むことが多い。フィルタ媒体は、捕捉された汚染物質がフィルタ媒体の上または中に蓄積するにつれて、フィルタ媒体を通る流体の流れに対してより抵抗になる可能性がある。この結果として、フィルタシステムの有効性を回復させるためには、フィルタ媒体を交換または清浄する必要が生じる。さらに、フィルタ媒体を交換または清浄する前に、エンジンが一時的に作動するために、フィルタシステムが流体システム内で流体を循環させ続けることができることが望ましい。
【０００４】
従来のフィルタシステムのフィルタ媒体を交換または清浄のために取り外すとき、フィルタシステム、フィルタ媒体、および任意の関連部品を流体システムから取り外す行為の結果として、一般に、フィルタ媒体が取り外されるに伴い流体の一部がこぼれる可能性がある。例えば、一部のフィルターシステムは、フィルターエレメントを取り外すときにフィルタキャニスタの液抜きを必要とする。例えば、サービス技術員が、排出された液体が適切な容器に確実に取り込まれるように注意を払っていないと、こぼれが発生する可能性がある。特に流体システムがオイルまたは燃料のような石油ベースの製品を含むとき、環境をそのようなこぼれにさらすことは望ましくない。加えて、フィルタエレメントの交換または清浄は、サービス技術員にとっては、流体がフィルタシステムから自分の手や衣服にこぼれた場合、特に不快になることがある。結果として、フィルタ媒体が交換または清浄されるときにこぼれる可能性を低減し、かつサービス技術員がフィルタエレメントに触れる必要なしにフィルタハウジングからのフィルタエレメントの結合および結合解除を可能にするフィルタシステムを提供することが望ましい場合がある。
【０００５】
ハウジングに結合されたフィルタは、２０１２年４月１７日発行のＷｅｉｎｄｏｒｆの米国特許第８，１５７，１０７Ｂ２号（「’１０７特許」）に記載されている。具体的には、’１０７特許にはドレン通路を有するフィルタハウジングを有する液体フィルタが記載されている。フィルタ媒体を含むフィルタエレメントがフィルタハウジング内に配置されている。フィルタ蓋は、フィルタハウジングに接続されるように構成されている。フィルター蓋には、液体がフィルターエレメントのフィルタ媒体を通過するときに高すぎる圧力損失が発生するときにフィルターエレメントを迂回（バイパス）するためのフィルタバイパス弁が設けられている。フィルタエレメントをフィルタ蓋に接続するために第１のバヨネットコネクタがフィルタ蓋に設けられ、かつ第２のバヨネットコネクタがフィルタエレメントに設けられている。二重同心シールがドレン通路を閉鎖するためにフィルタエレメント上に配置されている。
【０００６】
’１０７特許の液体フィルタは、安価にかつ簡単に製造することができる方法でフィルタ蓋からフィルタエレメントの分離を容易にすることを目的としているが、それでもなお上述の１つまたはそれ以上の起こり得る欠点に対処し得ない。例えば、’１０７特許の二重同心シールは複雑でかつ製造が比較的高価になる可能性がある。さらに、’１０７特許の液体フィルタの構成の結果として、フィルタハウジングからフィルタエレメントを取り外す際に、望ましくないこぼれが生じる可能性がある。
【０００７】
本明細書に開示されているフィルタエレメントおよびフィルタハウジング組立体は、上述の１つまたはそれ以上の考えられる欠点を軽減または克服することを目的としてもよい。
【発明の概要】
【０００８】
本開示の第１の態様によれば、フィルタエレメントは、管状エレメントと、管状エレメントの反対側の端部とそれぞれ関連付けられた第１および第２のエンドキャップと、管状エレメントの周囲でかつ第１および第２のエンドキャップ同士の間に位置決めされたフィルタ媒体と、管状エレメントに関連付けられた付勢エレメントと、管状エレメントの第１の端部に位置決めされたリテーナエレメントと、を含むことができる。リテーナエレメントは、中央円形部分および中央円形部分の対応辺から延びる２つの対向する横方向スロットを含むリテーナ開口部と、２つの対向する横方向スロットの対応辺間に延びる２つの円弧状ショルダ区分とを含むことができる。全タブは、２つの対向する横方向スロットを挟んである周方向位置における２つの円弧状ショルダ区分のうちの片方の底面から第１の軸線方向距離延び、部分タブは、全タブから横方向スロットの反対側のある周方向位置における２つの円弧状ショルダ区分のうちの他方の底面から第２の軸線方向距離未満で第２の軸線方向距離延びる。
【０００９】
本開示のさらなる態様によれば、フィルタハウジング組立体は、フィルタエレメントと、フィルタエレメントに選択的に結合されかつそれから結合解除されるように構成されているハウジングと、ハウジングに接合されかつハウジングとフィルタエレメントとの間の相対的な移動によりハウジングにフィルタエレメントを交互に結合および結合解除するように構成されるカプラと、を含むことができる。フィルタエレメントは、管状エレメントと、第１および第２のエンドキャップと、管状エレメントの周囲でかつ第１および第２のエンドキャップとの間に位置決めされたフィルタ媒体と、付勢エレメントと、管状エレメントの第１の端部に位置決めされたリテーナエレメントと、を含むことができる。リテーナエレメントは、カプラの一部を受け入れるように構成されたリテーナ開口部を含んでもよく、かつリテーナ開口部は、中央円形部分および中央円形部分の対応辺から延びる２つの対向する横方向スロットを含むことができる。２つの円弧状ショルダ区分は、２つの対向する横方向スロットの対応辺間に延び、全タブは２つの対向する横方向スロットを挟んである周方向位置における２つの円弧状ショルダ区分のうちの片方の底面から第１の軸線方向距離延び、部分タブは、全タブから横方向スロットの反対側のある周方向位置における２つの円弧状ショルダ区分のうちの他方の底面から第１の軸線方向距離未満で第２の軸線方向距離延びてもよい。
【００１０】
本開示のさらに別の態様によれば、フィルタシステムは、ハウジングと、フィルタエレメントと、ハウジングをフィルタエレメントに接合するように構成されたカプラとを含むことができる。フィルタエレメントは、フィルタエレメントの１つの軸線方向端部に位置決めされたリテーナエレメントと、リテーナエレメントから軸線方向に離隔された付勢エレメントと、を含むことができる。カプラは、付勢エレメントと接触しながら軸線方向および周方向の両方に移動するように構成された第１の表面と、ハウジング内にフィルタエレメントの保持を可能にするために付勢エレメントによって第１の位置においてリテーナエレメントと係合するように付勢されるように構成されている第２の表面と、を含むことができる。第２の表面は、カプラがリテーナエレメントとの係合から解除され得る第２の位置までリテーナエレメントとの係合から外れて軸線方向および周方向に移動するように構成されてもよい。
【図面の簡単な説明】
【００１１】
【図１】フィルタシステムの例示的実施形態の透視図である。
【図２】図１に示す例示的実施形態の一部分の透視図である。
【図３】フィルタハウジング組立体およびフィルタハウジング組立体内のフィルタエレメントを含むフィルタシステムの例示的実施形態の側面断面図である。
【図４】フィルタシステムの第１のハウジングがフィルタシステムの第２のハウジングから分離されている状態で、図３に示された例示的実施形態の側面断面図である。
【図５】図４に示すフィルタエレメントに結合された第１のハウジングの側面断面図である。
【図６】図３および図４に示す第２のハウジング内に着座している例示的なフィルタエレメントの底部の詳細側面断面図である。
【図７】図３〜図５示す例示的なフィルタシステムにおいて第１のハウジングをフィルタエレメントに結合するためのカプラの例示的実施形態の斜視図である。
【図８】図３〜図５示す例示的なフィルタシステムのリテーナエレメントの例示的実施形態の斜視部分断面図である。
【図９】図３〜図５に示す例示的なフィルタシステムの第２のハウジングに組み付けられている第１のハウジングおよびフィルタエレメントの一部分の斜視詳細断面図である。
【図１０】第１の相対位置にある図３のハウジングおよびフィルタエレメントの拡大斜視断面図である。
【図１１】第２の相対位置にある図１０のハウジングおよびフィルタエレメントの拡大斜視断面図である。
【図１２】図３〜図５の例示的なフィルタシステムのための例示的なカプラの斜視図である。
【図１３】図３〜図５に示す例示的なフィルタシステムのリテーナエレメントおよびハウジングに対する第１の位置における例示的なカプラの底面図である。
【図１４】図３〜図５に示す例示的なフィルタシステムのリテーナエレメントおよびハウジングに対する第２の位置における図１３の例示的なカプラの底面図である。
【発明を実施するための形態】
【００１２】
図１〜図１４は、フィルタシステム１０および関連部品の例示的実施形態を示す。フィルタシステム１０は、例えば、燃料、潤滑剤、冷却剤、および機械によって使用される油圧流体などの流体を濾過するために使用することができる。例えば、フィルタシステム１０は、例えば自動車、トラック、農業用車両、および／または建設用車両（例えば、スキッド・ステアローダ、ホイールローダ、ブルドーザ、トラック型トラクタ、掘削機、地ならし機、オンハイウェイトラック、オフハイウェイトラック、およびまたは当業者に知られている他の任意の車両タイプなど）などの任意のタイプの地上車両などの機械で使用するための内燃機関または油圧システム用に提供することができる。加えて、内燃機関は、例えば電力を発生させるための発電機、または水、天然ガス、もしくは石油などの流体を圧送するためのポンプなどの任意の静止機械に電力を供給することができる。内燃機関は、例えば火花点火機関または圧縮点火機関であってもよい。他の種類のエンジンは、例えば、ロータリーエンジン、ガスタービンエンジン、および／またはガソリン、ディーゼル燃料、バイオディーゼル、エタノール、メタノール、およびそれらの組み合わせによって駆動されるエンジンを含むことができる。
【００１３】
図１〜図９に示すフィルタシステム１０は、フィルタシステム１０を機械（例えば、機械のエンジン）に結合させるように構成されたフィルタ基部１２と、フィルタエレメント１６に選択的に結合させるように構成された第１のハウジング１４と、フィルタ基部１２に関連付けられた第２のハウジング１４と、を含む。図示された例示的実施形態では、第１のハウジング１４および第２のハウジング１８は互いに結合され、かつフィルタエレメント１６を収容するように構成されている。例えば、第１のハウジング１４および第２のハウジング１８は、互いに係合しかつ第１および第２のハウジング１４および１８を互いに対して固定するように構成された相補ねじ部１９を、例えば、図３に示すように、含むことができる。フィルタシステム１０は、第１のハウジング１４と第２のハウジング１８とが互いに固定されたときに流体シールを提供するためにねじ部１９と関連付けられたシール部材２０（例えばＯ―リングシール）を含むことができる。
【００１４】
例示的なフィルタ基部１２は、フィルタ基部１２を機械に結合するためのボルトなどのファスナ（図示せず）を受容されるように構成されたボス２１（例えば、図１参照）を含む。図２に示すように、例示的な第２のハウジング１８は、機械の流体システムから流体を受け取り、フィルタシステム１０への流れ連通を提供するように構成された入口ポート２２を含む。例示的な第２のハウジング１８はまた、濾過された流体を機械の流体システムに戻すように構成され出口ポート２３（図３参照）を含み、フィルタシステム１０と流体システムとの間に流れ連通を提供する。例示的な第２のハウジング１８はまた、以下により詳細に説明されるように、フィルタエレメント１６が第２のハウジング１８から分離されたときにフィルタシステム１０内の流体を流体システムに戻すように構成されたドレイン通路２４（図２〜４参照）を含む。
【００１５】
図３および図４に示すように、フィルタシステム１０の例示的なフィルタエレメント１６は、第１のハウジング１４に結合され、かつ第２のハウジング１８によって受容されてフィルタハウジング組立体を形成している。第１のハウジング１４が、第２のハウジング１８と結合されると、フィルタエレメント１６は第１のハウジング１４および第２のハウジング１８内に収容される。例示的なフィルタエレメント１６は、第１の端部２８と第２の端部３０との間で長手方向軸線Ｘに沿って延びかつ内部空間３２画定する管状エレメント２６を含む。例示的なフィルタエレメント１６はまた、管状エレメント２６の第１の端部２８に位置決めされたリテーナエレメント３４を含み、この場合、リテーナエレメント３４は、例えば第１のハウジング１４に結合され、これにより、第１のハウジング１４とフィルタエレメント１６が、例えば、図４に示されるように、一体として第２のハウジング１８に挿入されかつ第２のハウジング１８から取り外されることができる。図３〜図５に示す実施形態において、リテーナエレメント３４は管状エレメント２６の第１の端部２８に圧入されてもよい。図８はフィルタハウジング組立体内の第２のハウジング１８に面するリテーナエレメント３４の底面からの詳細斜視図を示している。
【００１６】
図３〜図５に示すように、例示的なフィルタエレメント１６はまた、管状エレメント２６によって画定されかつ管状エレメント２６の第１の端部２８と第２の端部３０との間に位置決めされる弁座部材３６を含むことができる。図示された例示的実施形態において、弁座部材３６は、弁座開口部３８は、管状エレメント２６の第１端部２８と管状エレメント２６の第２端部３０との間に流れ連通を提供するように構成された弁座開口部３８を含む。図３に示すように、弁座開口部３８は、例えば、本明細書で説明されているように、弁ポペット４０との流体シールを提供するように構成されてもよい。例えば、弁座開口部３８は、円形としてもよく、かつ弁ポペット４０との流体シールを提供するように構成された周縁部３９（例えば面取りされた周縁部）を含むことができる。
【００１７】
例示的なフィルタエレメント１６はまた、管状エレメント２６の第１の端部２８に関連付けられた第１のエンドキャップ４２を含む。第１のエンドキャップ４２は、管状エレメント２６の第１の端部２８を通って流れ連通を提供するように構成された第１のエンドキャップ開口部４４を画定してもよい。例えば、第１のエンドキャップ４２は、管状エレメント２６の長手方向軸線Ｘに対して直交（例えば垂直）しかつ管状エレメント２６の第１の端部２８に結合された環状壁４５を含むことができる。環状壁４５は第１のエンドキャップ開口部４４を画定することができる。第１のエンドキャップ４２は、プラスチック、金属、および／または同様の材料から形成されもよい。図示される例示的な実施形態では、フィルタエレメント１６はまた、管状エレメント２６の第２の端部３０に関連付けられた第２のエンドキャップ４６を含む。第２のエンドキャップ４６は、管状エレメント２６の内部空間３２と第のハウジング１８との間に流れ連通を提供するように構成された第２のエンドキャップ開口部４８を画定することができる。第２のエンドキャップ４６は、プラスチック、金属、および／または同様の材料から形成されてもよい。
【００１８】
例示的なフィルタエレメント１６はまた、管状エレメント２６の周囲でかつ第１および第２のエンドキャップ４２および４６同士の間に設けられたフィルタ媒体５０を含む。フィルタ媒体５０は、フィルタシステム１０を通過する流体中の汚染物質を捕獲するように構成されている。フィルタ媒体５０は、例えば、フォームタイプ、スクリーンタイプ、紙タイプ（例えば、プリーツまたは折り畳み濾紙タイプ）、およびそれらの組み合わせなど、当業者に知られている任意のフィルタ媒体タイプであってもよい。いくつかの実施形態によれば、フィルタ媒体５０は、第１の流体とは異なる特性を有する第２の流体からの第１の流体（例えば燃料からの水）の分離を促進するように構成された合体型媒体（ｃｏａｌｅｓｃｉｎｇ−ｔｙｐｅ  ｍｅｄｉａ）とすることができ、その結果、第１の流体および第２の流体の一方が合体型媒体を通過するときに合体して液滴になり、かつ第１の流体の液滴が合体型媒体の下流表面上に形成する。いくつかの実施形態によれば、フィルタ媒体５０は、流体がバリア型媒体を通過する前に第１の流体を第２の流体から分離するように構成されたバリア型媒体とすることができ、その結果、第１の流体の液滴がバリア型媒体の上流表面上に形成し、かつ第２の流体がバリア型媒体を通過する。いくつかの実施形態によれば、フィルタ媒体５０は、上述の媒体タイプの組み合わせを含むことができる。
【００１９】
図１〜図９に示す例示的な実施形態では、フィルタシステム１０による濾過のための流体は、関連機械の流体システムと流れ連通している、第２のハウジング１８の入口ポート２２を介してフィルタシステム１０に流入する。入口ポート２２を介してフィルタシステム１０に流入する流体は、フィルタ媒体５０の外面５２の周りを流れ、外面５２からフィルタ媒体５０内へ通る。管状エレメント２６は、管状エレメント２６の内周面と管状エレメント２５の外周面との間で半径方向に延び、かつフィルタ媒体５０と管状エレメント２６の内部空間３２との間に流れ連通を提供するように構成された複数の管状エレメント開口部５４を含むことができる。いくつかの実施形態によれば、管状エレメント開口部５４は、管状エレメント２６の弁座部材３６と第２の端部３０との間に存在する。フィルタ媒体５０を通って流れる流体は、それによって例えば、粒子状物質および／または濾過されている流体とは異なる流体などの汚染物質をその流体から除去する。フィルタ媒体５０を通って流れると、濾過された流体は管状エレメント開口部５４を通って半径方向内向きに内部空間３２に流れる。内部空間３２は第２のハウジング１８の出口ポート２３と流れ連通していて、かつ出口ポート２３まで流れると、フィルタシステム１０から流出して、機械の流体システムに戻る。
【００２０】
いくつかの実施形態によれば、例えば、図３および図４に示すように、第２のエンドキャップ４６は、管状エレメント２６の第２の端部３０およびフィルタ媒体５０に結合されてもよい。いくつかの実施形態によれば、第２のエンドキャップ４６は、フィルタエレメント１６と第２のハウジング１８内のドレイン通路２４との間の流体シールを提供するように構成されていて、これにより、フィルタエレメント１６が第２のハウジング１８から分離されると、流体がフィルタエレメント１６から第２のハウジング１８内のドレイン通路２４に流入する。例えば、図３〜図５に示すように、例示的な第２のエンドキャップ４６は、管状エレメント２６の長手方向軸線Ｘに対して直交する（例えば垂直な）環状壁５６と、フィルタ媒体５０と反対の方向に環状壁５６に対して直交して（例えば垂直な）延びる環状バリア５８とを含む。第２のエンドキャップ４６の例示的な環状壁５６は、第２のエンドキャップ開口部４８を画定する。例示的な環状バリア５８は、例えば環状バリア５８に対して半径方向外向きに面する環状凹部６０を含む。図示の例示的実施形態は、環状凹部６０内に収容されたシール部材６２（例えば、Ｏリングシール）を含む。図３、図４、および図６に示すように、例示的な第２のハウジング１８は、フィルタエレメント１６が第２のハウジング１８内に完全に収容されたときにシール部材６２が当接して流体シールを提供する相手の表面を提供する半径方向内向きに面する環状シール面６４を含む。図４に示すように、フィルタエレメント１６が第２のハウジング１８から引き抜かれると、シール部材６２がシール面６４から切り離され、それにより、流体がフィルタエレメント１６から第２のハウジング１８のドレン通路２４に流れることを許容する。
【００２１】
いくつかの実施形態によれば、フィルタシステム１０は、第２のハウジング１８と関連付けられた（例えば、それに結合された）管状ガイド６６をさらに含み、これにより、管状ガイド６６が、複数の管状ガイド開口部６７を介して管状エレメント２６と出口ポート２３との間の流れ連通を提供する。複数の管状ガイド開口部６７は、管状ガイド６６の内周面と管状ガイド６６の外周面との間で半径方向に延び、かつ例えば、図２に示されるように、フィルタ媒体５０と管状エレメント２６の内部空間３２との間に流れ連通を提供するように構成されている。図３および図４に示すように、例示的な管状ガイド６６は、管状ガイド開口部６７と流れ連通し、かつ管状エレメント２６の長手方向軸線Ｘと整列する（例えば同一直線上にある）長手方向軸線Ｇに沿って延びる通路６８を画定する（図３および図４参照）。例えば、例示的な第２のハウジング１８は、管状ガイド６６の端部を受容するように構成された出口ポート２３に隣接する円形凹部７０を含む。例えば、凹部７０は、図３および図４に示すように、出口ポート２３に隣接する管状ガイド６６の端部の雄ネジ７４に係合するように構成された雌ネジ７２を有することができる。いくつかの実施形態によれば、管状ガイド６６は、（例えば、成形、鋳造、および／または機械加工によって）第２のハウジング１８と一体的に形成されてもよく、それによって単一構造を形成する。
【００２２】
いくつかの実施形態によれば、フィルタエレメント１６の管状エレメント２６は、管状ガイド６６の少なくとも一部分を受容する。例えば、管状ガイド６６は、図３に示すように、管状エレメント２６内に入れ子にすることができる。いくつかの実施形態によれば、流体シール７６は、例えば図４および図６に示すように、管状ガイド６６とフィルタエレメント１６との間に設けられている。図示される例示的実施形態では、第２のエンドキャップ４６に隣接する管状ガイド６６の端部の半径方向外側周面は、半径方向外向きに面する凹部７８および凹部７８内に受容されたシール部材８０（例えば、Ｏリングシール）を含む。この例示的な構成では、流体シール７６は、例えば、図４および図６に示すように、フィルタエレメント１６の第２のエンドキャップ１８の内向きに面する半径方向表面と管状ガイド６６との間に設けられている。流体シール７６は、後述する場合を除いて、最初にフィルタ媒体５０を通って流れることなく、流体が管状エレメント２６および／または管状ガイド６６に流れ込むのを防止するのに役立つ。
【００２３】
例示的なフィルタシステム１０は、図３および図４に示すように、管状ガイド６６と関連付けられたバイパス弁８２をさらに含み、ここで、バイパスバルブ８２は、弁ポペット４０が弁ポペット４０と弁座部材３６の弁座開口部３８との間に流体シールを提供する第１の位置（例えば、図３に示すように）と、弁座開口部３８および管状ガイド６６を介して管状エレメント２６の第１の端部２８と第２のハウジング１８の出口ポート２３との間で流れ連通が提供される第２の位置との間で移動するように構成されている、弁ポペット４０を含む。いくつかの実施形態によれば、バイパス弁８２は、弁ポペット４０と管状ガイド６６に結合されかつ弁ポペット４０を弁座開口部３８に対して付勢するように構成された付勢部材８４をさらに含む。例えば、付勢部材８４は、（例えば図示のような）螺旋ばね、あるいは弁ポペット４０に付勢力を加えるように構成された他の任意の種類の部材であってもよい。
【００２４】
図３および図４に示すように、例示的なバイパス弁８２は、管状エレメント２６の第１の端部２８の流体圧力が閾値圧力に達するとき、弁ポペット４０が第２の位置に移動して管状エレメント２６の第１の端部２８と第２のハウジング１８の出口ポート２８との間に流れ連通を提供するように構成されている。この例示的な構成は、例えば、フィルタ媒体５０が外面５２と管状エレメント開口部５４との間の流れに対して十分な抵抗を与えて管状エレメント２６の第１の端部２８に閾値圧力を生じさせる場合に有益であり得る。フィルタ媒体５０がフィルタ媒体５０を通過する流れを阻止するのに十分な量の汚染物質（例えば捕捉された粒子状物質）を捕集するとき、流れに対する抵抗が発生する可能性がある。これが発生する場合、閾値圧力により弁ポペット弁４０にかかる力は、付勢部材８４の付勢力に打ち勝ち、かつ弁ポペット弁４０を第２の位置に移動させ、これにより、バイパス弁８２を開いてフィルタシステ１０および機械の流体システムを通過する流体の流れの停止を防止する。これにより、フィルタ媒体５０が修理または交換されてフィルタ媒体５０を通過する流れが回復するまで流体システムに関連付けられた機械の損傷を軽減または防止することができる。
【００２５】
いくつかの実施形態によれば、フィルタシステム１０は、フィルタエレメント１６を第１のハウジング１４に結合するように構成されたカプラ８６を含むことができる。一実施形態では、カプラ８６は、図３〜図５、図７、図８、および図１０〜図１５に示すように、リテーナエレメント３４を介してフィルタエレメント１６を第１のハウジング１４に結合するように構成されてもよい。例えば、第１のハウジング１４は、第１のハウジング１４とフィルタエレメント１６とが互いに組み付けられたときにフィルタエレメント１６の方へ延びるように構成されたボス８８を含むことができる。ボス８８は、カプラ８６を第１のハウジング１４のボス８８に接合するように構成されたファスナ９２と係合するように構成されたレシーバ９０を含むことができる。例えば、レシーバ９０およびファスナ９２はそれぞれ互いに係合するように構成される協働するねじを含むことができる。いくつかの実施形態によれば、ファスナ９２はねじまたは同様のファスナであってもよい。
【００２６】
いくつかの実施形態によれば、例えば、図７に示すように、例示的なカプラ８６は、例えば円形断面を有する管状本体９４を含むことができる。管状本体９４は、長手方向軸戦Ｂに沿って延びることができ、そしてフィルタシステム１０に組み付けられたとき、管状本体９４の長手方向軸線Ｂは、例えば図３および図４に示すように、フィルタエレメント１６の管状エレメント２６の長手方向軸線Ｘと整列する（例えば、同一直線上に並ぶ）ことができる。カプラ８６はまた、円錐台形端部１１４と、円錐台形端部１１４の大径端部に隣接して長手方向軸線Ｂに対して半径方向外向きに延び横方向に延びる突出部１０２とを含むことができる。いくつかの実施形態によれば、例えば図７に示すように、円錐台形端部１１４とは反対側のカプラ８６の管状本体９４の端部は、第１のハウジング１４のボス８８を係合させるためのノッチ１１８（例えば、キャスタレーション状のノッチ）を含むことができる。例えば、カプラ８６が第１のハウジング１４に係合されると、カプラ８６のノッチ１１８はボス８８の周りに嵌合するか、またはボス８８内の対応するノッチと噛み合うことができる。
【００２７】
いくつかの実施形態によれば、カプラ８６およびリテーナエレメント３４は、第１のフィルタハウジング１４が、カプラ８６およびリテーナエレメント３４を互いに対して１回のフル回転未満の量だけ回転させることによってフィルタエレメント１６から結合および結合解除され得るように構成されている。いくつかの例示的な実施形態では、リテーナエレメント３４は管状エレメント２６の第１の端部２８に圧入されるかさもなければ関連付けられ、したがってリテーナエレメント３４に対するカプラ８６の回転は管状エレメント２６およびフィルタエレメント１６に対する第１のハウジング１４の回転でもある。例えば、図８に示すように、リテーナエレメント３４は、カプラ８６を受容するように構成されたリテーナ開口部９６を含むことができる。図示された例示的実施形態では、リテーナ開口部９６は、中央円形部分９８から半径方向外向きに延びる２つの対向する横方向に延びるスロット１００を含む。図７に示すように、例示的なカプラ８６は、管状本体９４の長手方向軸線Ｂと直交する（例えば垂直な）方向に延びる少なくとも１つの横方向に延びる突出部１０２（例えば２つの対向する突出部）を含む。横方向に延びる突出部１０２は、カプラ８６の本体９４の円錐台形端部１１４がリテーナ開口部９６の円形部分９８を通過した後リテーナ開口部９６の横方向に延びるスロット１００を通過するように構成されている。
【００２８】
図８に示すように、リテーナエレメント３４は、中央円形部分９８を画定する２つの円弧状ショルダ区分１１０およびリテーナ開口部９６の横方向に延びるスロット１００を含むことができる。円弧状ショルダ区分１１０はそれぞれ、２つの対向する横方向に延びるスロット１００の対向辺間を延びてもよい。円弧状ショルダ区分１１０はまた、リテーナエレメント３４の外周壁１０３から半径方向内向きに延びている。円弧状ショルダ区分１１０は、円錐台形端部１１４および横方向に延びる突出部１０２がリテーナ開口部９６を通って挿入され、かつ突出部１０２が少なくとも部分的に円弧状ショルダ１１０の底面１０５の下方に位置決めされるようにカプラー８６が回転されたとき、カプラ８６の横方向に延びる突出部１０２の軸線方向移動に対するバリアを形成するように構成されている。全タブ２２０は、リテーナエレメント３４の外壁１０３から半径方向内向きにかつ２つの円弧状ショルダ区分１１０のうちの片方の底面１０５から第１の軸線方向距離にわたって外壁１０３の半径方向内側周面に沿って軸線方向に突出してもよい。代替実施形態では、全タブ２２０を外壁１０３の内周面に沿った他の周方向位置に位置決めしてもよいが、図８に示す例示的実施形態では、全タブ２２０は、２つの対向する横方向に延びるスロット１００の間のほぼ中間に位置してもよい。
【００２９】
部分タブ２２２は、外壁１０３から半径方向内向きに突出し、かつ第１の軸線方向距離未満の第２の軸線方向距離にわたって外壁１０３の半径方向内側周面に沿って軸線方向に延びてもよい。部分タブ２２２は、全タブ２２０から横方向スロット１００の反対側にある２つの対向する横方向に延びるスロット１００間のほぼ中間の２つの円弧状ショルダ区分１１０のうちの他方の底面１０５から延びてもよい。代替実施形態では、部分タブ２２２を外壁１０３の内周面に沿った他の周方向位置に位置決めしてもよい。図８に示すように、全タブ２２０は、三角形状の軸線方向断面を有してもよく、かつ円弧状ショルダ区分１１０のうちの片方の底面１０５からカプラ３４の外周壁１０３の軸線方向端部まで実質的に軸線方向全距離にわたって延びてもよい。部分タブ２２２はまた、三角形状の軸線方向断面を有し、かつ円弧状ショルダ区分１１０のうちの他方の底面１０５から全タブ２２０の軸線方向長さ未満である軸線方向距離軸線方向に延びてもよい。全タブ２２０および部分タブ２２２の三角形状断面は、カプラ８６の対向する横方向に延びる突出部１０２の対向側縁が全タブ２２０の一方の面および部分タブ２２２の一方の面に対して位置決めされるように構成されてもよい。これにより、カプラ８６がいずれの周方向にも回転するのが防止される。全タブ２２０の軸線方向長さは、カプラ８６の横方向に延びる突出部１０２が全タブ２２０を通り越して軸線方向に移動できないように構成されてもよい。したがって、全タブ２２０はカプラ８６の運動の角度範囲を１８０度未満に制限してもよい。部分タブ２２２の軸線方向長さを短くしたことによって、突出部１０２が部分タブ２２２をクリアするためにカプラ８６および横方向に延びる突出部１０２をリテーナ開口部９６を通って十分遠くに挿入することができる。その結果として、カプラ８６およびリテーナエレメント３４の相対的寸法および位置は、部分タブ２２２の軸線方向底面を通り越してカプラ８６および突出部１０２の回転を可能にするが、突出部１０２が全タブ２２０の両側に接触するとカプラ８６の回転を止める。
【００３０】
いくつかの実施形態によれば、リテーナエレメント３４は、管状エレメント２６の第１の端部２８と関連付けられてもよい。リテーナエレメント３４は、図８に示すように、管状エレメント２６の第１の端部２８に圧入されてもよい。様々な代替実施形態では、リテーナエレメント３４は、管状エレメント２６と一体的に形成されてもよい。図示の例示的な実施形態では、リテーナエレメント３４は、リテーナ開口部９６を画定する円弧状ショルダ区分１１０を含む。円弧状ショルダ区分１１０の内径１０４は、リテーナ開口部９６の中央円形部分９８を少なくとも部分的に画定し、かつ横方向スロット１００は、円弧状ショルダ区分１１０の周方向端部の間に画定されてもよい。
【００３１】
図示の例示的な実施形態による組立中、カプラ８６は、横方向に延びる突出部１０２がリテーナ開口部９６の横方向に延びるスロット１００と整列するように周方向に方向付けされてよく、かつカプラ８６の円錐台形端部１１４および突出部１０２はリテーナ開口部を通して挿入されてもよい。突出部１０２が部分タブ２２２をクリアするのに十分な量だけいったんカプラ８６がリテーナ開口部９６に挿入されると、横方向に延びる突出部１０２が全タブ２２０によって止められるまでカプラ８６が回転されかつ周方向に再方向付けされてもよい。この時点で、１つまたはそれ以上の突出部１０２（２つが図面の例示的実施形態に示されている）が円弧状ショルダ区分１１０の底面１０５の下方に位置決めされている。この例示的な方法では、カプラ８６およびリテーナエレメント３４は、リテーナ開口部９６を通ってカプラ８６の円錐台形端部１１４および突出部１０２を挿入または取り外し、かつカプラ８６およびリテーナエレメント３４を互いに対して１回のフル回転未満（例えば、４分の１回転）回転させることによって第１のハウジング１４がフィルタエレメント１６に結合および結合解除されるように構成されている。この例示的な方法では、工具を使用せずに、第１のハウジング１４がフィルタエレメント１６から結合または結合解除されてもよい。
【００３２】
図３〜図５および図９に示すように、例示的なフィルタエレメント１６は、管状エレメント２６の内部空間３２内でかつ弁座部材３６とリテーナエレメント３４との間に付勢エレメント１１２を含むことができる。カプラ８６の例示的な管状本体９４は、付勢エレメント１１２に係合するように構成された円錐台形端部１１４の外面を含む。円錐台形端部１１４の外側円錐面は、付勢エレメント１１２と接触しながら軸線方向および回転方向の両方に移動するように構成されてもよい。カプラ８６の円錐台形端部１１４が、管状本体９４の横方向に延びる突出部１０２がリテーナエレメント３４の円弧上ショルダ区分１１０をもクリアするのに十分な量だけリテーナ開口部９６を通過したとき、付勢エレメント１１２はカプラ８６を管状エレメント２６の第１端部２８に向けて付勢することができる。カプラ８６の円錐台形端部１１４および横方向に延びる突出部１０２は、リテーナ開口部９６を通過させてもよく、かつ突出部１１２が部分タブ２２２を通り越して軸線方向に移動するまで円錐台形端部１１４は付勢エレメント１１２に押圧されてもよい、その時点で突出部１０２のうちの１つが全タブ２２０によって停止されるまでカプラ８６をいずれかの方向に回転させることができる。カプラ８６の周方向位置において一方の横方向に延びる突出部１０２の一方の側の縁部が全タブ２２０に当接しつつあるとき、他方の横方向に延びる突出部１０２は部分タブ２２２に対して所定の位置にあってもよい、その結果、横方向に延びる突出部１０２が円弧状ショルダ区分１１０の底面１０５に当接するまで、付勢エレメント１１２の付勢力がカプラ８６を管状エレメント２６の第１の端部２８に向かって軸線方向に移動させることができる。部分タブ２２２は、次いで、一方の横方向に延びる突出部１０２の側縁部（全タブ２２０に当接する他方の突出部１０２の側縁部とは反対側に）接触する、これにより、カプラ８６がリテーナエレメント３４に対して回転するのを防止する。横方向に延びる突出部１０２が円弧状ショルダ区分１１０の底面１０５と係合して、かつ全タブ２２０および部分タブ２２２によってリテーナエレメント３４に対するカプラ８６の回転が防止されている状態で、第１のフィルタハウジング１４が第２のフィルタハウジング１８に対する螺合から解除されるに伴いフィルタエレメント１６が第１のフィルタハウジング１４内に保持される。
【００３３】
いくつかの実施形態によれば、付勢エレメント１１２は、管状エレメント２６の第１の端部２８と弁座開口部３８との間に流れ連通を提供するように構成されてもよい。例えば、図３〜図５および図９に例示的実施形態では、例示的な付勢エレメント１１２は、管状本体９４の円錐台形端部１１４に接触し、かつカプラ８６をリテーナエレメント３４に向かってバイアスするように構成された複数のフレキシブルフィンガー１１６を含み、これにより、カプラ８６の横方向に延びる突出部１０２が円弧状ショルダ区分１１０の底面１０５に当接する。例示的なフィンガー１１６は、管状エレメント２６の第１の端部２８と弁座開口部３８との間に流れ連通を提供するように構成されてもよい。この例示的な構成は、バイパス弁８２の弁ポペット４０が第２（開）位置に移動するとき流体がフィンガー１１６間に、弁座開口部３８を通って、管状エレメント２６を通って、そして出口ポートの中へ流れることを許容する。
【００３４】
いくつかの実施形態によれば、カプラ８６の横方向に延びる突出部１０２が円弧状ショルダ区分１１０のうちの片方の底面１０５から延びる部分タブ２２２をクリアするまで付勢エレメント１１２に打ち勝つために第１のハウジング１４とフィルタエレメント１６を一緒に押すことによって第１のハウジング１４はフィルタエレメント１６から分離され得る。いったん横方向に延びる突出部１０２が部分タブ２２２をクリアすると、突出部１０２がリテーナ開口部９６の横方向に延びるスロット１００と周方向に整列するようにカプラ８６が周方向に回転および再方向付けされることができ、かつカプラ８６がリテーナエレメント３４のリテーナ開口部９６から引き抜かれることができる。カプラ８６が第１のハウジング１４に結合されているので、カプラ８６がリテーナエレメント３４から分離されるとき、それによって第１のハウジング１４はフィルタエレメント１６から分離される。その後、新品または改装されたフィルタエレメント１６が第１のハウジング１４に結合されてよく、かつ第１のハウジング１４およびフィルタエレメント１６が第２のハウジング１８に組み付けられてよい。この例示的な方法で、第１のハウジング１４とフィルタエレメント１６とを互いに対して周方向に回転（例えば、４分の１回転）させ、かつ第１のハウジング１４とフィルタエレメント１６とを引き離すことによって第１のハウジング１４を使用済みフィルタエレメント１６から分離することができる。その結果、いくつかの実施形態によれば、第１のハウジング１４およびフィルタエレメント１６はフィルタエレメント１６を取り扱うことなく第２のハウジング１８から分離されることができる。全タブ２２０および部分タブ２２２に対する横方向に延びる突出部１０２の側面の周方向係合は、付勢エレメント１１２の付勢力がカプラ８６の突出部１０２を円弧状ショルダ区分１１０の底面１０５に対して押圧するとき、第１のフィルタハウジング１４および第２のハウジング１８の組立および分解中にリテーナエレメント３４に対するカプラ８６の回転を防止する。
【産業上の利用可能性】
【００３５】
本開示のフィルタシステムは、電力システム、冷却剤システム、油圧システム、および／または空気処理システムを含む様々な機械のための流体を濾過するのに有用であり得る。例えば、流体の供給は、流体導管を介してフィルタシステム１０に供給され、フィルタシステム１０を介して濾過され、そして導管を介して流体システムに再循環されてもよい。例えば、濾過される対象の流体は、第２のハウジング１８の入口ポート２２を介してフィルタシステム１０に流入し、汚染物質が流体から除去されるフィルタエレメント１６のフィルタ媒体５０を通過し、管状エレメント開口部５４を通過し、管状ガイド開口部６７を通過し、管状エレメント２６の内部空間３２の中に流入し、そして第２のハウジング１８の出口ポート２３を介してフィルタシステム１０から流出し、かつ流体システムに戻る。
【００３６】
いくつかの実施形態によれば、フィルタシステム１０のフィルタハウジング組立体は、取り外し時にフィルタシステム１０からの流体の著しいこぼれを生じさせることなく、フィルタシステム１０からのフィルタエレメント１６の取り外しを容易にすることができる。例えば、図１〜図１４に示した例示的実施形態に関して説明したように、フィルタエレメント１６が第２のハウジング１８から分離されるに伴って、第２のエンドキャップ４６のシール部材６２が第２のハウジング１８のシール面６４から離脱し、それによってフィルタエレメント１６内の流体がフィルタエレメント１６から第２のハウジング１８のドレイン通路２４内に流入することを許容し、これは排出された流体を流体システムに戻す。
【００３７】
いくつかの実施形態によれば、第１のハウジング１４は、例えば、図１〜図１４に示される例示的な実施形態に関して上述したように、フィルタエレメント１６に選択的に結合されてもよい。このような実施形態によれば、第１のハウジング１４がカプラ８６によってフィルタエレメント１６に結合されている結果としてサービス技術員が第１のハウジング１４を保持することによってフィルタエレメント１６を取り外すことができるので、第２のハウジング１８からフィルタエレメント１６を取り外すサービス技術員はフィルタシステム１０からの流体で手を汚さないで済む。フィルタエレメント１６は、管状エレメント２６と、第１のエンドキャップ４２と、第２のエンドキャップ４６と、管状エレメント２６の周囲におよび第１のエンドキャップ４２と第２のエンドキャップ４６との間に設けられたフィルタ媒体５０とを含む。管状エレメント２６は、リテーナエレメント３４および付勢エレメント１１２と関連付けられるかまたは一体的に形成されてもよい。いくつかの実施形態では、リテーナエレメント３４は、管状エレメント２６の第１端部２８に圧入されてもよく、かつ付勢エレメント１１２は管状エレメント２６と一体的に形成されるかあるいはそれに接合されてもよく、第１の端部２８から管状エレメント２６の第２の端部３０に向かって軸線方向に間隔を置いて、かつ管状エレメント２６の中心に向かって半径方向に延びてもよい。付勢エレメント１１２は、カプラ８６の円錐台形端部１１４および横方向に延びる突出部１０２がリテーナエレメント３４のリテーナ開口部９６を通過させられるときに、カプラ８６の円錐台形端部１１４の外側円錐面と係合するように構成された軸線方向に延びる可撓性フィンガー１１６を含むことができる。リテーナエレメント３４のリテーナ開口部９６は、リテーナエレメント３４の外周壁１０３から半径方向内向きに延びる２つの円弧状ショルダ区分１１０によって画定されてもよい。リテーナ開口部９６の中央円形部分９８は、カプラ８６の円錐台形端部１１４の通過を可能にするように構成されてもよく、かつリテーナ開口部９６の横方向に延びるスロット１００は、カプラ８６の横方向に延びる突出部１０２の通過を可能にするように構成されてもよい。リテーナエレメント３４の円弧状ショルダ区分１１０の底面１０５の下方に軸線方向に延びる全タブ２２０および部分タブ２２２は、カプラ８６のフィルタエレメント１６との選択的係合および係合解除を可能にする。カプラ８６の円錐台形端部１１４に対する付勢エレメント１１２の付勢力が、リテーナエレメント３４の円弧状ショルダ区分１１０の底面１０５にカプラ８６の横方向に延びる突出部１０２を押し付ける。
【００３８】
第１のハウジング１４およびフィルタエレメント１６を第２のハウジング１８から結合解除して引き抜いた後、フィルタエレメント１６を扱わなくても第１のハウジング１４をフィルタエレメント１６から分離され得る。第１のハウジング１４をフィルタエレメント１６から分離するためのプロセスは、フィルタエレメント１６の第２のエンドキャップ４６を表面の上に支持すること、および第１のハウジング１４とフィルタエレメント１６とを互いに押し付けるために軸線方向の力を第１のハウジング１４に加えることを含むことができる。第１のハウジング１４にかかる軸線方向の力はカプラ８６に伝達され、それによって第１のハウジング１４に装着されたカプラ８６の円錐台形端部１１４に対する付勢エレメント１１２の付勢力に打ち勝つ。第１のハウジング１４にかかる軸線方向の力を維持しながら、第１のハウジング１４とフィルタエレメント１６とを互いに対して４分の１回転周方向に回転させることができる。第１のハウジング１４とフィルタエレメント１６とを一緒に押すと、カプラ８６の円錐台形端部１１４を付勢エレメント１１２の軸線方向に延びる可撓性フィンガー１１６に対して押圧し、それによってカプラ８６はリテーナエレメント３４のリテーナ開口部９６を通ってさらに先へ移動可能である。カプラ８６とリテーナエレメント３４との間の軸線方向の相対移動の結果として、カプラ８６の横方向に延びる突出部１０２は、円弧状ショルダ区分１１０の底面１０５から延びる部分タブ２２２を通り越えて軸線方向に移動される。カプラ８６の横方向に延びる突出部１０２がリテーナエレメント３４のスロット１００と整列するまでカプラ８６は、次いで、リテーナエレメント３４に対して回転され得る。この周方向位置では、第１ハウジング１４および装着されたカプラ８６はフィルタエレメント１６から引き離されてよい。第１ハウジング１４およびフィルタエレメント１６はバッグまたはレセプタクル内に設置されてよく、そして第１のハウジング１４は、例えば、上述の通りフィルタエレメント１６から分離されてもよい。その後、第１のハウジング１４を新品または改装されたフィルタエレメント１６に結合されてよく、かつ第１のハウジング１４およびフィルタエレメント１６を第２のハウジング１８に組み付けられてよい。この例示的な方法では、フィルタエレメント１６の取り外し時にフィルタシステム１０から流体の著しいこぼれを伴わずに、かつ汚れたフィルタエレメントを取り扱わなくてもフィルタエレメント１６の交換が行われてよく、これによって環境を保護し、メンテナンスの容易さと安全性をもたらす。
【００３９】
開示された例示的なフィルタシステムおよびフィルタハウジング組立体に様々な修正および改変を加えることができることが当業者には明らかであろう。明細書の考察および開示された実施例の実施から他の実施形態は当業者には明らかであろう。明細書および実施例は例示としてのみ考慮されることを意図しており、真の範囲は以下の請求項の範囲およびそれらの均等物によって示される。
【図１】
2019529080.tif 000003
【図２】
2019529080.tif 000004
【図３】
2019529080.tif 000005
【図４】
2019529080.tif 000006
【図５】
2019529080.tif 000007
【図６】
2019529080.tif 000008
【図７】
2019529080.tif 000009
【図８】
2019529080.tif 000010
【図９】
2019529080.tif 000011
【図１０】
2019529080.tif 000012
【図１１】
2019529080.tif 000013
【図１２】
2019529080.tif 000014
【図１３】
2019529080.tif 000015
【図１４】
2019529080.tif 000016
【国際調査報告】
2019529080.tif 000017
2019529080.tif 000018